【事件の表示】
　特許第３０４３２５２号「立体映像表示装置」の請求項１ないし１０に係る特許に対する特許異議の申立てについて、次のとおり決定する。
【結　論】
　訂正を認める。
　特許第３０４３２５２号の請求項４ないし８に係る特許を取り消す。
　同請求項１ないし３に係る特許を維持する。
【理　由】
１．手続の経緯
　特許第３０４３２５２号の請求項１〜１０に係る発明は、特許法第４１条に基づく優先権主張を伴う平成６年１２月２７日（優先日：平成６年３月３０日、出願番号：特願平６−６１０５６号）の出願であって、平成１２年３月１０日に設定登録され、その後、異議申立人　岩間　茂より特許異議の申立てがなされ、取消理由通知がなされ、その指定期間内である平成１３年５月１５日に訂正請求がなされたものである。
　
２．訂正の適否について
ア．訂正の内容
　特許権者が求める訂正の内容は以下のとおりである。　
ａ．従属形式で記載された特許請求の範囲の請求項３を、独立形式に記載するとともに、請求項３および６に記載された「観察者が前記立体映像を観察するときの適視位置」を「観察者が前記立体映像を観察するとき、
観察者の左眼に左眼用画素からの光のみが入光し、右眼に右眼用画素からの光のみが入光する所定
前記映像表示部の映像表示画面の上側領域又は下側領域に、該上側領域又は下側領域の表示画面全体に亘り
により構成された
前記上側領域又は下側領域に、該上側領域又は下側領域の表示画面全体に亘り
により構成された
　
ｂ．明細書の段落番号０００７の記載
　上記訂正事項ａの訂正に伴い、登録時の【０００７】の記載である
　「【課題を解決するための手段】　本発明の第１の立体映像表示装置は、左眼用映像信号と右眼用映像信号とを入力し、該入力した左眼用映像信号及び右眼用映像信号に従って立体映像を表示するとともに観察者が前記立体映像を観察するときの適視位置を前方に有する映像表示部と、該映像表示部に適視位置マークを表示するための信号を発生する信号発生部と、該信号発生部の動作／不動作を切り換える操作部とからなることを特徴とする。」を、
　「【課題を解決するための手段】　本発明の第１の立体映像表示装置は、左眼用映像信号と右眼用映像信号とを入力し、該入力した左眼用映像信号及び右眼用映像信号に従って立体映像を表示するとともに、観察者が前記立体映像を観察するとき、観察者の左眼に左眼用画素からの光のみが入光し、右眼に右服用画素からの光のみが入光する所定の適視位置を前方に有する映像表示部と、該映像表示部に適視位置マークを表示するための信号を発生する信号発生部と、該信号発生部の動作／不動作を切り換える操作部とを備えている。」と訂正する。
　
ｃ．明細書の段落番号０００８の記載
　上記訂正事項ａの訂正に伴い、登録時の【０００８】の記載である
　「更に、本発明の第１の立体映像表示装置は、前記信号発生部からの信号を前記映像表示部の左眼用映像信号及び右眼用映像信号の一方にのみ混合し、前記観察者の一方の眼を閉じ他方の目を開いて頭部を動かすことで前記適視位置マークを観察することができる位置が捜せるようにするための混合部を設けたことを特徴とする。」を、
　「そして、該信号発生部からの信号を前記映像表示部の左眼用映像信号及び右眼用映像信号の一方にのみ混合し、前記観察者の一方の眼を閉じ他方の目を開いて頭部を動かすことで前記適視位置マークを観察することができる位置が捜せるようにするための混合部が設けられている。」と訂正する。
　
ｄ．明細書の段落番号０００９の記載
　上記訂正事項ａの訂正に伴い、登録時の【０００９】の記載である
　「また、本発明の第１の立体映像表示装置は、前記信号発生部が前記適視位置マークを表示するためのキャラクタ信号を発生するキャラクタ信号発生部であることを特徴とする。」を、
　「また、前記映像表示部に入力する映像信号が立体映像を表示するための映像信号であるか、平面映像を表示するための映像信号であるかを検出する検出部が設けられている。」と訂正する。
　
ｅ．明細書の段落番号００１０の記載
　上記訂正事項ａの訂正に伴い、登録時の【００１０】の記載である
　「また、本発明の第２の立体映像表示装置は、前記映像表示部に入力する映像信号が立体映像を表示するための映像信号であるか、平面映像を表示するための映像信号であるかを検出する検出部を設け、該検出部が平面映像であると判断したとき前記映像表示部に適視位置マークが表示されるのを阻止する手段を設けたことを特徴とする。」を、
　「そして、該検出部が平面映像であると判断したとき前記映像表示部に適視位置マークが表示されるのを阻止する手段を備えていることを特徴とする。」と訂正する。
　
ｆ．明細書の段落番号００１１の記載
　上記訂正事項ａの訂正に伴い、登録時の【００１１】の記載である
　「更に、本発明の第２の立体映像表示装置は、前記検出部が、前記映像表示部に左眼用映像信号及び右眼用映像信号が入力する信号路からの同期信号の有無を検出する同期信号検出部であることを特徴とする。」を、
　「更に、本発明の第１の立体映像表示装置は、前記検出部が、前記映像表示部に左眼用映像信号及び右眼用映像信号が入力する信号路からの同期信号の有無を検出する同期信号検出部であることを特徴とする。」と訂正する。
　
ｇ．明細書の段落番号００１２の記載
　上記訂正事項ａの訂正に伴い、登録時の【００１２】の記載である
　「また、本発明の第２の立体映像表示装置は、前記適視位置マークの表示を阻止する手段が、前記操作部と前記信号発生部との間の信号路、あるいは前記信号発生部と前記混合部との間の信号路に形成されたスイッチ手段であることを特徴とする。」を、
　「また、本発明の第１の立体映像表示装置は、前記適視位置マークの表示を阻止する手段が、前記操作部と前記信号発生部との間の信号路、あるいは前記信号発生部と前記混合部との間の信号路に形成されたスイッチ手段であることを特徴とする。」と訂正する。
　
ｈ．明細書の段落番号００１３の記載
　上記訂正事項ａの訂正に伴い、登録時の【００１３】の記載である
「また、本発明の第３の立体映像表示装置は、左眼用映像信号と右眼用映像信号とを映像表示部に入力し、該映像表示部に立体映像を表示するとともに観察者が前記立体映像を観察するときの適視位置を前記映像表示部の前方に有するものにおいて、前記左眼用映像信号は左眼用識別信号を有する信号であり、前記右眼用映像信号は右眼用識別信号を有する信号であり、前記映像表示部には、前記観察者の一方の眼を閉じ他方の目を開いて頭部を動かすことで前記適視位置マークを観察することができる位置が捜せるようにするために、前記左眼用識別信号により左右方向に延びる部分を備える左眼用適視位置マークが表示され、前記右眼用識別信号により左右方向に延びる部分を備える右眼用適視位置マークが表示されることを特徴とする。」を、
　「また、本発明の第２の立体映像表示装置は、左眼用映像信号と右眼用映像信号とを映像表示部に入力し、該映像表示部に立体映像を表示するとともに、観察者が前記立体映像を観察するとき、観察者の左眼に左眼用画素からの光のみが入光し、右眼に右眼用画素からの光のみが入光する所定の適視位置を前記映像表示部の前方に有するものにおいて、前記左眼用映像信号は左眼用識別信号を有する信号であり、前記右眼用映像信号は右眼用識別信号を有する信号であり、前記映像表示部には、前記観察者の一方の眼を閉じ他方の目を開いて頭部を動かすことで前記適視位置マークを観察することができる位置が捜せるようにするために、前記左眼用識別信号により前記映像表示部の映像表示画面の上側領域又は下側領域に、該上側領域又は下側領域の表示画面全体に亘り、左右方向に延びる部分により構成された左眼用適視位置マークが表示され、前記右眼用識別信号により前記上側領域又は下側領域に、該上側領域又は下側領域の表示画面全体に亘り、左右方向に延びる部分により構成された右眼用適視位置マークが表示されることを特徴とする。」と訂正する。
　
ｉ．明細書の段落番号００１４の記載
　上記訂正事項ａの訂正に伴い、登録時の【００１４】の記載である
　「更に、本発明の第３の立体映像表示装置は、前記左眼用適視位置マーク及び前記右眼用適視位置マークが、映像表示画面の上側領域に表示される上部分と、映像表示画面の下側領域に表示される下部分とを備えることを特徴とする。」を、
　「更に、本発明の第２の立体映像表示装置は、前記左眼用適視位置マーク及び前記右眼用適視位置マークが、映像表示画面の上側領域に表示される上部分と、映像表示画面の下側領域に表示される下部分とを備えることを特徴とする。」と訂正する。
　
ｊ．明細書の段落番号００１５の記載
　上記訂正事項ａの訂正に伴い、登録時の【００１５】の記載である
　「また、本発明の第３の立体映像表示装置は、前記左眼用識別信号と前記右眼用識別信号とが．両者が互いに異なる映像を表示するための信号であることを特徴とする。」を、
　「また、本発明の第２の立体映像表示装置は、前記左眼用識別信号と前記右眼用識別信号とは、両者が互いに異なる映像を表示するための信号であることを特徴とする。」と訂正する。
　
ｋ．明細書の段落番号００１６の記載
　上記訂正事項ａの訂正に伴い、登録時の【００１６】の記載である
　「また、本発明の第３の立体映像表示装置は、前記左眼用識別信号と前記右眼用識別信号とが、両者が互いに異なる色の映像を表示するための信号であることを特徴とする。」を、
　「また、本発明の第２の立体映像表示装置は、前記左眼用識別信号と前記右眼用識別信号とは、両者が互いに異なる色の映像を表示するための信号であることを特徴とする。」と訂正する。
　
ｌ．明細書の段落番号００１７の記載
　上記訂正事項ａの訂正に伴い、登録時の【００１７】の記載である
　「また、本発明の第３の立体映像表示装置は、前記左眼用識別信号及び前記右眼用識別信号を出力する識別信号発生回路と、前記左眼用識別信号を左眼用映像信号に混合する第１の混合回路と、前記右眼用識別信号を右眼用映像信号に混合する第２の混合回路とを有することを特徴とする。」を、
　「また、本発明の第２の立体映像表示装置は、前記左眼用識別信号及び前記右眼用識別信号を出力する識別信号発生回路と、前記左眼用識別信号を左眼用映像信号に混合する第１の混合回路と、前記右眼用識別信号を右眼用映像信号に混合する第２の混合回路とを有することを特徴とする。」と訂正する。
　
イ．訂正の目的の適否、新規事項の有無及び拡張・変更の存否
　上記訂正事項ａについては、平成１３年３月５日付けの取消理由通知において、取消理由の対象となっている請求項１及び２を削除し、従属形式で記載された請求項３を、独立形式に記載するとともに、請求項３および６に記載された「観察者が前記立体映像を観察するときの適視位置」を「観察者が前記立体映像を観察するとき、
観察者の左眼に左眼用画素からの光のみが入光し、右眼に右眼用画素からの光のみが入光する所定
前記映像表示部の映像表示画面の上側領域又は下側領域に、該上側領域又は下側領域の表示画面全体に亘り
により構成された
前記上側領域又は下側領域に、該上側領域又は下側領域の表示画面全体に亘り
により構成された
　よって、この訂正は、特許請求の範囲の減縮を目的とする明細書の訂正に該当する。
　また、上記訂正事項ａは、願書に添付した明細書または図面に記載した事項の範囲内の訂正であり、実質上特許請求の範囲を拡張し又は変更するものではない。
　
　上記訂正事項ｂないしｌについては、上記訂正事項ａの訂正による特許請求の範囲の記載と発明の詳細な説明の記載との整合をとるための訂正であり、明瞭でない記載の釈明を目的とする明細書の訂正に該当する。
　また、上記訂正事項ｂないしｌは、願書に添付した明細書または図面に記載した事項の範囲内の訂正であり、実質上特許請求の範囲を拡張し又は変更するものではない。
　
ウ．むすび
　したがって、上記訂正は、特許法の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申し立てについての判断
ア．特許異議申立の概要
ａ．本件発明
　上記のとおり、訂正請求は適法と認められるから、本件請求項１〜８に係る発明（以下「本件発明１〜８」という。）は、上記訂正請求書の特許請求の範囲の請求項１〜８に記載された次のとおりの事項により特定されるものである。
「　【請求項１】　左眼用映像信号と右眼用映像信号とを入力し、該入力した左眼用映像信号及び右眼用映像信号に従って立体映像を表示するとともに、観察者が前記立体映像を観察するとき、観察者の左眼に左眼用画素からの光のみが入光し、右眼に右眼用画素からの光のみが入光する所定の適視位置を前方に有する映像表示部と、該映像表示部に適視位置マークを表示するための信号を発生する信号発生部と、該信号発生部からの信号を前記映像表示部の左眼用映像信号及び右眼用映像信号の一方にのみ混合し、前記観察者の一方の眼を閉じ他方の目を開いて頭部を動かすことで前記適視位置マークを観察することができる位置が捜せるようにするための混合部と、前記信号発生部の動作／不動作を切り換える操作部と、前記映像表示部に入力する映像信号が立体映像を表示するための映像信号であるか、平面映像を表示するための映像信号であるかを検出する検出部と、該検出部が平面映像であると判断したとき前記映像表示部に適視位置マークが表示されるのを阻止する手段とからなることを特徴とする立体映像表示装置。
　【請求項２】　前記検出部が、前記映像表示部に左眼用映像信号及び右眼用映像信号が入力する信号路からの同期信号の有無を検出する同期信号検出部であることを特徴とする請求項１記載の立体映像表示装置。
　【請求項３】　前記適視位置マークの表示を阻止する手段が、前記操作部と前記信号発生部との間の信号路、あるいは前記信号発生部と前記混合部との間の信号路に形成されたスイッチ手段であることを特徴とする請求項１または２記載の立体映像表示装置。
　【請求項４】　左眼用映像信号と右眼用映像信号とを映像表示部に入力し、該映像表示部に立体映像を表示するとともに、観察者が前記立体映像を観察するとき、観察者の左眼に左眼用画素からの光のみが入光し、右眼に右眼用画素からの光のみが入光する所定の適視位置を前記映像表示部の前方に有する立体映像表示装置において、前記左眼用映像信号は左眼用識別信号を有する信号であり、前記右眼用映像信号は右眼用識別信号を有する信号であり、前記映像表示部には、前記観察者の一方の眼を閉じ他方の目を開いて頭部を動かすことで前記適視位置マークを観察することができる位置が捜せるようにするために、前記左眼用識別信号により前記映像表示部の映像表示画面の上側領域又は下側領域に、該上側領域又は下側領域の表示画面全体に亘り、左右方向に延びる部分により構成された左眼用適視位置マークが表示され、前記右眼用識別信号により前記上側領域又は下側領域に、該上側領域又は下側領域の表示画面全体に亘り、左右方向に延びる部分により構成された右眼用適視位置マークが表示されることを特徴とする立体映像表示装置。
　【請求項５】　前記左眼用適視位置マーク及び前記右眼用適視位置マークが、映像表示画面の上側領域に表示される上部分と、映像表示画面の下側領域に表示される下部分とを備えることを特徴とする請求項４記載の立体映像表示装置。
　【請求項６】　前記左眼用識別信号と前記右眼用識別信号とは、両者が互いに異なる映像を表示するための信号であることを特徴とする請求項４または５記載の立体映像表示装置。
　【請求項７】　前記左眼用識別信号と前記右眼用識別信号とは、両者が互いに異なる色の映像を表示するための信号であることを特徴とする請求項４または５記載の立体映像表示装置。
　【請求項８】　前記左眼用識別信号及び前記右眼用識別信号を出力する識別信号発生回路と、前記左眼用識別信号を左眼用映像信号に混合する第１の混合回路と、前記右眼用識別信号を右眼用映像信号に混合する第２の混合回路とを有することを特徴とする請求項４、５、６または７記載の立体映像表示装置。」
　なお、平成１３年５月１５日付訂正請求により、平成１３年３月５日付取消理由通知書において指摘した特許法第３６条第５項第２号に関する瑕疵は解消した。
　
ｂ．異議申立人　岩間　茂　は、次の甲第１〜３号証を提出し、請求項１〜１０（訂正後の請求項１〜８）に係る発明の特許は、甲第１〜３号証より、特許法第２９条第２項の規定に違反してなされたものであるから取り消すべき旨、主張している。
甲第１号証：特開平４−１５０６９３号公報（引用刊行物１）
甲第２号証：磯野春雄、外４名，「４０インチ液晶投写型メガネなし立体ＴＶディスプレイ」，テレビジョン学会誌　画像情報工学と放送技術，第４６巻，第４号，１９９２年４月，ｐ．５１８（１３８）−５２５（１４５）（引用刊行物２）
甲第３号証：国際公開９２／１１７３５号パンフレット（１９９２）（引用刊行物３）
　
ｃ．引用刊行物および異議申立人提出刊行物に記載された発明
　当審が平成１３年３月１日に通知した取消理由において引用した刊行物１〜３（異議申立人　岩間　茂　提出の甲第１〜３号証）にはそれぞれ次のとおりの発明が記載されている。
　
引用刊行物１：特開平４−１５０６９３号公報
「２．特許請求の範囲
　レンチキュラレンズを用いた２眼式立体表示装置において、観察者の右眼専用、左眼専用の２つの確認用右画像および確認用左画像をあらかじめ用意し、これら２つの画像を前記２眼式立体表示装置に表示し、観察者が右眼で観察した場合に確認用右画像がみえ、左眼で観察した場合に確認用左画像が見える位置を立体視適正観察位置として検出することを特徴とする立体視適正観察位置の検出方法。」（第１頁左下欄第４〜１３行）
「　第３図は２眼レンチキュラレンズ方式の原理を示す図である。レンチキュラレンズ８のレンズ１ピッチ８−１に対して、表示デバイス９の右画像用表示画素９−１と左画像用表示画素９−２を１組として対応させる構成とした場合、立体表示装置２の前面空間には右画像用表示画素９−１からなる右画像の表示空間領域５（Ｒ）と、左画像用表示画素９−２からなる左画像の表示空間領域６（Ｌ）とに、左右各画像が人間の両眼間隔毎に空間分割されて表示されている。この状態で、観察者１は立体表示装置２の正面において右目１−１には右画像、左目１−２には左画像を観察し、正常な立体視が得られる。」（第１頁右下欄第９行〜第２頁左上欄第１行）
「　この発明の目的は、２眼レンチキュラレンズ式立体表示装置において、観察者が適正な立体視観察位置を短時間かつ容易に、検出および確認できる検出方法を提供することを目的とする。
【課題を解決するための手段】
　この発明にかかる立体視適性観察位置の検出方法は、観察者の右目専用、左眼専用の２つの確認用右画像および確認用左画像をあらかじめ用意し、これら２つの画像を２眼式立体表示装置に表示し、観察者が右眼で観察した場合に確認用右画像がみえ、左眼で観察した場合に確認用左画像が見える位置を立体視適性観察位置として検出するようにしたものである。
【作用】
　この発明では、あらかじめ用意した確認用右画像および確認用左画像とを立体表示装置に表示するので、観察者は自分の右眼、左眼が正しく右眼専用、左眼専用の確認画像がみえる位置に位置するようにして立体視適性観察位置を検出する。」（第２頁左上欄第１７行〜同頁右上欄第１５行）
「第１図はこの発明に一実施例の原理構成を示す平面図である。この図において、３は画像入力切り替えスイッチであり、立体視用右画像７−１と立体視用左画像７−２からなる立体視用視差画像７と、確認用右画像４−１と確認用左画像４−２からなる適正立体視確認用画像４との切り替えを行う。
　観察者１は立体表示装置２を観察する場合、画像入力切り替えスイッチ３を操作して適正立体視確認用画像４を立体表示装置２に表示させる。この場合、観察者１は立体表示装置２の前面空間において、表示空間領域５に表示されている確認用右画像４−１を右目１−１で観察し、同様に表示空間領域６に表示されている確認用左画像４−２を左目１−２で、それぞれ観察できる位置を捜し出す。このようにして観察者１は立体表示装置２の前面空間において適正な立体視観察位置を検出および認識することができる。このようにして、観察者１の位置が正しい位置であることを確認後、観察者１は画像入力切り替えスイッチ３を操作し、立体視用視差画像７を立体表示装置２に表示させ、表示空間領域５に表示されている立体視用右画像７−１を右目１−１で、同様に表示空間領域６に表示されている立体視用左画像７−２を左目１−２で観察することにより正常な立体視を得られるものである。
　この実施例では、観察者１が立体視適正観察位置を検知および確認する場合、画像入力切り替えスイッチ３によって、入力画像の切り替えをおこなっているが、立体表示装置２に立体視用視差画像７を常時表示している状態で、画面の一部に適正立体視確認用画像４を、スーパーインポーズもしくはワイプ等の画像合成技術を利用し、観察者１の任意選択で表示可能とした場合もこの実施例と同様の効果が得られることは言うまでもない。
　第２図はこの実施例における適正立体視観察位置の確認用右画像４−１および確認用左画像４−２を図示したものである。各画像にはそれぞれ明らかに異なる文字（または記号、デザインもしくは背景色等）を表示させて右眼専用、左眼専用であることが一目で判る構成としているものである。これにより観察者１は両眼で観察する各画像が、左右どちらの眼に対応した画像であるか容易に理解できるものである。」（第２頁右上欄第１７行〜同頁右下欄第２０行）
「従来の２眼レンチキュラレンズ方式の立体表示装置のように、観察者が左右逆転した画像を観察して奥行き感を誤認識したり、立体視が不可能になったりすることがなく、適正な立体視が可能となる利点がある。」（第３頁左上欄第１０〜１４行）
　
引用刊行物２：磯野春雄、外４名，「４０インチ液晶投写型メガネなし立体ＴＶディスプレイ」，テレビジョン学会誌　画像情報工学と放送技術，第４６巻，第４号，１９９２年４月，ｐ．５１８（１３８）−５２５（１４５）
「２．液晶投写型立体画像表示方式
　臨場感や実在感に富んだ立体映像を得るためには、投写型ディスプレイによって大画面に表示する方法が有効である。従来、投写型ディスプレイによるメガネなし立体表示方式としては、２重レンチキュラスクリーン方式やアルミ反射膜をレンチキュラスクリーンの背後に密着した反射方式などが提案されている。
これらの方式では複数台のＣＲＴビデオプロジェクタを用いて立体画像を投写し、レンチキュラスクリーンの焦点面にストライプ像を形成するものである。しかし、複数台のプロジェクタを用いて異なる方向から立体画像をスクリーンを投写するため、投写画像に幾何学歪みが生じやすく、レンチキュラスクリーンとの光学的な位置合わせが難しい。
　筆者らは、画像の表示位置が正確であり、かつ単一のズームレンズでフルカラーの映像を任意のサイズに拡大投写できる液晶ビデオプロジェクタの特徴に着目し、左右画像を合成したストライプ像を１台の液晶ビデオプロジェクタによりレンチキュラスクリーンの背面に拡大投写する方式を考案した。液晶投写型立体画像表示方式の原理を図１に示す。
　図１において２台のテレビで撮影した左画像と右画像は、信号処理回路により１画素毎に交互に合成されて縦縞状のストライプ画像となり、１台の液晶ビデオプロジェクタを用いて拡散スクリーンの背面に拡大投写される。拡散スクリーンの裏面には、投写されたストライプ像の画素間隔の約２倍のピッチをもつレンチキュラスクリーンが配置されており、ストライプ像と光学的な位置合わせして立体視する。
　この方式の特徴は、左右画像を電子的に画素合成したストライプ像を投写するため、表示画像とレンチキュラスクリーンとの幾何学的な対応が正確にとれ、画面全体にわたって高精度に光学的位置合わせができる点にある。また、液晶ビデオブロジェクタが１台ですむため、立体ディスプレイ装置がコンパクトに構成できるほか、コストの点でも有利である。」（第５１９頁左欄下から４行〜第５２０頁左欄第９行）
「　この立体ディスプレイ装置では、図３のシステム系統図に示すように、２台の現行ＮＴＳＣ方式のテレビカメラで撮影したあと、スキャンコンバータによりＥＤＴＶ対応の信号に変換し、ＥＤＴＶ用液晶ビデオプロジェクタによりノンインタレースの立体画像を表示している。また、２Ｄ/３Ｄ表示の両立性をもたせるために、２Ｄ画像表示の場合には２Ｄ/３Ｄ切換えスイッチにより、右画像（または左画像）のみを利用してストライプ像を合成して投写している。」（第５２１頁左欄第１〜９行）
「　ところで、約４ｍはなれた観察位置において、観察者が左右方向に頭部を65ｍｍ移動すると、左画像と右画像が逆転して両眼に入り、いわゆるスュードスコピック像(Psedoscopic Image)が生じる。
　このスュードスコピック像の観察を防ぐために、図９に示すような観察者への教示用テロップを作成し、立体画像ソフトの左と右画像に挿入した。この教示用パターンは右画像のみに“ＮＨＫ”のロゴマークが挿入してあり、所定の位置において左眼のみで観察した場合には、この“ＮＨＫ”ロゴマークは完全に消失し・・・がわかった。」（第５２２頁右欄第７〜第５２３頁左欄第９行）
　
引用刊行物３：国際公開９２／１１７３５号パンフレット（１９９２）
「DOMESTIC TELEVISION: 'THE LEFT/RIGHT CONSIDERATION'
　
The question of dedicating the left eye to a left image and the right eye to a right image cannot be achieved for auto-stereo screen, without some means of aligning the position of the viewing audience to a required degree of accuracy.
　
Without this alignment it would be arbitrary as to which eye sees the left or the right image, even though whichever one of these it is the other eye will see its opposite, and therefore the viewer will experience 3-D.
　
We have already determined in many cases, that the sensation of 3-D is present in both of the left eye to left image or left eye to right image orientations.
The exact nature of the 3-D illusion changes, but the fact of it remains.
　
However there are some cases where an exact alignment is required for the fact of the 3-D illusion, or is required to generate the specific type of 3-D illusion intended. Under such circumstances, alignment indicators must be included in the display, either LCD's mounted in the television frame or alternatively, small sections of the screen, preferably at the top left and right corners or the bottom left and right corners, must be dedicated to a software alignment included in the visual display.
　
By alignment indicator we refer to a red light source and a green light source, which is also part of an auto-stereo display, so that when the left eye sees the red light the left eye is in the correct position to see the left image, and when the right eye sees the green light it is in the correct position to see the right image. In this way proper alignment may be achieved and maintained.
　
　上記記載の日本語文はおおよそ次の通り。
「家庭用テレビジョン：左右の考察
　
　左眼を左画像に、右眼を右画像に専用にさせるという問題は、観察者の視認位置を必要とされる正確さの程度にまで調節する何等かの手段なしには、自動ステレオ画面として達成することはできない。
　
　この調節がなければ、一方の眼が見るのがどちらの画像であるにせよ、他方の眼がその反対側の画像を見るわけであるから、どちらの眼が左画像あるいは右画像を見るのかについては任意であると思われ、それ故、観察者は３Ｄ画像を経験することができるであろう。
　
　我々は、すでに多くの場合について、３Ｄの感覚が、左眼対左画像または左眼対右画像の両方の方位において得られることを測定している。３Ｄ錯覚の正確な性質は変化するが、その事実は残っている。
　
　しかしながら、３Ｄ錯覚の事実に対して正確な調整が要求され、あるいは意図する特定のタイプの３Ｄ錯覚を発生させることが要求されるいくつかのケースがある。このような状況のもとにおいては、調整用インジケータが表示部に備えられていなければならず、テレビジョンフレーム内に配された液晶ディスプレイあるいはスクリーンの、好ましくはその最上部の左右コーナーあるいは最下部の左右コーナーの小領域が、可視の表示部内に含まれるソフトウエアによる調整部に当てられていなければならない。
　
　調節インジケータについては、いずれも自動ステレオ表示部の一部である赤色光源と緑色光源に関連しており、左眼が赤色光を見るとき左眼は左画像を見るべき正確な位置あり、右眼が緑色光を見るとき右画像を見るべき正しい位置にあるものとする。このようにして適切な調節が行われ、維持し得るものである。
　
　もちろんこのシステムでは、個々の観察者は、それ自身を画像に対して調整しなければならない。しかしながら各観察位置を定義するパラメータは、調整状態を外れることなく、頭の通常のわずかな左右への動きを許容するものである。」
　
ウ．対比・判断
ａ．請求項１について
　本件発明１と上記引用刊行物１に記載された発明とを対比する。
　上記引用刊行物１には「立体表示装置」に関し、「立体表示装置２の前面空間には右画像用表示画素９−１かならる右画像の表示空間領域５（Ｒ）と、左画像用表示画素９−２からなる左画像の表示空間領域６（Ｌ）とに、左右各画像が人間の両眼間隔毎に空間分割されて表示されている。この状態で、観察者１は立体表示装置２の正面において右目１−１には右画像、左目１−２には左画像を観察し、正常な立体視が得られる。」と記載されているから、上記引用刊行物１は、本願発明１の「左眼用映像信号と右眼用映像信号とを入力し、該入力した左眼用映像信号及び右眼用映像信号に従って立体映像を表示するとともに、観察者が前記立体映像を観察するとき、観察者の左眼に左眼用画素からの光のみが入光し、右眼に右眼用画素からの光のみが入光する所定の適視位置を前方に有する映像表示部」に相当する構成を有するものである。
　上記引用刊行物１には「観察者１は立体表示装置２を観察する場合、画像入力切り替えスイッチ３を操作して適正立体視確認用画像４を立体表示装置２に表示させる。この場合、観察者１は立体表示装置２の全面空間において、表示空間領域５に表示されている確認用右画像４−１を右目１−１で観察し、同様に表示空間領域６に表示されている確認用左画像４−２を左目１−２で、それぞれ観察できる位置を捜し出す。このようにして観察者１は立体表示装置２の前面空間において適正な立体視観察位置を検出および認識することができる。」、「この実施例では、観察者１が立体視適正観察位置を検知および確認する場合、画像入力切り替えスイッチ３によって、入力画像の切り替えをおこなっているが、立体表示装置２に立体視用視差画像７を常時表示している状態で、画面の一部に適正立体視確認用画像４を、スーパーインポーズもしくはワイプ等の画像合成技術を利用し、観察者１の任意選択で表示可能とした場合もこの実施例と同様の効果が得られることは言うまでもない。」と記載されているから、上記引用刊行物１は、本願発明１の「該映像表示部に適視位置マークを表示するための信号を発生する信号発生部と、該信号発生部からの信号を前記映像表示部の左眼用映像信号及び右眼用映像信号に混合し、前記観察者の一方の眼を閉じ他方の目を開いて頭部を動かすことで前記適視位置マークを観察することができる位置が捜せるようにするための混合部」に相当する構成を有するものである。
　また、上記引用刊行物１には「３は画像入力切り替えスイッチであり、立体視用右画像７−１と立体視用左画像７−２からなる立体視用視差画像７と、確認用右画像４−１と確認用左画像４−２からなる適正立体視確認用画像４との切り替えを行う。」と記載されており、「画像入力切り替えスイッチ３」は「適正立体視確認用画像４」の表示・非表示を切り替えるスイッチであるから、本願発明１の「前記信号発生部の動作／不動作を切り換える操作部」に相当する。
　したがって両者は、「左眼用映像信号と右眼用映像信号とを入力し、該入力した左眼用映像信号及び右眼用映像信号に従って立体映像を表示するとともに、観察者が前記立体映像を観察するとき、観察者の左眼に左眼用画素からの光のみが入光し、右眼に右眼用画素からの光のみが入光する所定の適視位置を前方に有する映像表示部と、該映像表示部に適視位置マークを表示するための信号を発生する信号発生部と、該信号発生部からの信号を前記映像表示部の左眼用映像信号及び右眼用映像信号に混合し、前記観察者の一方の眼を閉じ他方の目を開いて頭部を動かすことで前記適視位置マークを観察することができる位置が捜せるようにするための混合部とからなることを特徴とする立体映像表示装置。」で一致し、次の点で相違する。
　
（相違点）
１．本件発明１のものは、「映像表示部に適視位置マークを表示するための信号を発生する信号発生部からの信号を前記映像表示部の左眼用映像信号及び右眼用映像信号の一方にのみ混合」するものであるのに対して、上記引用刊行物１に記載されたものは、「映像表示部に適視位置マークを表示するための信号を発生する信号発生部からの信号を前記映像表示部の左眼用映像信号及び右眼用映像信号のそれぞれに混合」するものである点
２．本件発明１のものは、「映像表示部に入力する映像信号が立体映像を表示するための映像信号であるか、平面映像を表示するための映像信号であるかを検出する検出部と、該検出部が平面映像であると判断したとき前記映像表示部に適視位置マークが表示されるのを阻止する手段」とを有するのに対して、上記引用刊行物１のものはそのような構成を有さない点
　
そこで、上記相違点を検討する。
（相違点２について）
　上記引用刊行物２には、「　この立体ディスプレイ装置では、図３のシステム系統図に示すように、２台の現行ＮＴＳＣ方式のテレビカメラで撮影したあと、スキャンコンバータによりＥＤＴＶ対応の信号に変換し、ＥＤＴＶ用液晶ビデオプロジェクタによりノンインタレースの立体画像を表示している。また、２Ｄ/３Ｄ表示の両立性をもたせるために、２Ｄ画像表示の場合には２Ｄ/３Ｄ切換えスイッチにより、右画像（または左画像）のみを利用してストライプ像を合成して投写している。」と記載されているから、上記引用刊行物２には、立体映像表示と平面映像表示の切換えスイッチを設け、平面映像表示の場合には一方のテレビカメラの映像信号を左右両方の表示領域に表示する技術が記載されている。
　しかしながら、上記引用刊行物２には、「映像表示部に入力する映像信号が立体映像を表示するための映像信号であるか、平面映像を表示するための映像信号であるかを検出する検出部」を設けること、および、「平面映像であると判断したとき前記映像表示部に適視位置マークが表示されるのを阻止する手段」を設けることは、記載も示唆もされていない。
　更に、上記引用刊行物３にも、「映像表示部に入力する映像信号が立体映像を表示するための映像信号であるか、平面映像を表示するための映像信号であるかを検出する検出部」を設けること、および、「平面映像であると判断したとき前記映像表示部に適視位置マークが表示されるのを阻止する手段」を設けることは、記載も示唆もされていない。
　
　してみると、上記相違点２に係る構成は、上記引用刊行物１〜３を組み合わせたとしても到達することができず、且つ、設計的事項とも解することができないから、本件発明１は、相違点１について検討するまでもなく、異議申立人提出の各刊行物に記載された発明から容易に想到し得るものと認められない。
　
　なお、異議申立人は、「したがって、３Ｄ表示の際に用いられるテレビジョンカメラ（Ｌｅｆｔ　Ｃａｍｅｒａ）の方に、適視位置マークを混合するようにしておけば、２Ｄ表示の場合には、自動的に適視位置マークの表示が禁止されることになる。
　すなわち、入力される映像信号が、立体画像か、平面画像かを自動検出し、平面画像の場合には、適視位置マークの表示を阻止する程度のことは、当業者であれば、必要に応じて行える選択事項に過ぎない。また映像信号の有無の判別を同期信号の検出によって行うことも、テレビジョンの技術分野では、周知慣用の技術であり、格別の効果はなく、何ら発明性を生ぜしめるものではない。」旨主張しているが、「２Ｄ/３Ｄ切換え」を行うものであるから「立体画像か、平面画像かを自動検出」すること自体は容易になし得ることであったとしても、「３Ｄ表示の際に用いられるテレビジョンカメラ（Ｌｅｆｔ　Ｃａｍｅｒａ）の方に、適視位置マークを混合する」ことは、上記引用刊行物１〜３（甲第１〜３号証）の何れにも記載されておらず、また、示唆もされていない。
ｂ．請求項２，３について
　本件発明２は、本件発明１の技術事項を、さらに「前記検出部が、前記映像表示部に左眼用映像信号及び右眼用映像信号が入力する信号路からの同期信号の有無を検出する同期信号検出部であることを特徴とする」と技術的に限定するものであり、本件発明３は、本件発明１の技術事項を、さらに「前記適視位置マークの表示を阻止する手段が、前記操作部と前記信号発生部との間の信号路、あるいは前記信号発生部と前記混合部との間の信号路に形成されたスイッチ手段であることを特徴とする」と技術的に限定するものであるから、本件発明１と同様の理由により、異議申立人提出の各刊行物に記載された発明から容易に想到し得るものと認められない。
　
ｃ．請求項４について
　本件発明４と上記引用刊行物１に記載された発明とを対比する。
　上記引用刊行物１は「立体表示装置」に関するものである。
　上記引用刊行物１には、「立体表示装置２の前面空間には右画像用表示画素９−１かならる右画像の表示空間領域５（Ｒ）と、左画像用表示画素９−２からなる左画像の表示空間領域６（Ｌ）とに、左右各画像が人間の両眼間隔毎に空間分割されて表示されている。この状態で、観察者１は立体表示装置２の正面において右目１−１には右画像、左目１−２には左画像を観察し、正常な立体視が得られる。」と記載されているから、上記引用刊行物１の「立体表示装置」は、本願発明１の「左眼用映像信号と右眼用映像信号とを映像表示部に入力し、該映像表示部に立体映像を表示するとともに、観察者が前記立体映像を観察するとき、観察者の左眼に左眼用画素からの光のみが入光し、右眼に右眼用画素からの光のみが入光する所定の適視位置を前記映像表示部の前方に有する立体映像表示装置」に相当する構成を有するものである。
　上記引用刊行物１には「観察者１は立体表示装置２を観察する場合、画像入力切り替えスイッチ３を操作して適正立体視確認用画像４を立体表示装置２に表示させる。この場合、観察者１は立体表示装置２の全面空間において、表示空間領域５に表示されている確認用右画像４−１を右目１−１で観察し、同様に表示空間領域６に表示されている確認用左画像４−２を左目１−２で、それぞれ観察できる位置を捜し出す。このようにして観察者１は立体表示装置２の前面空間において適正な立体視観察位置を検出および認識することができる。」、「この実施例では、観察者１が立体視適正観察位置を検知および確認する場合、画像入力切り替えスイッチ３によって、入力画像の切り替えをおこなっているが、立体表示装置２に立体視用視差画像７を常時表示している状態で、画面の一部に適正立体視確認用画像４を、スーパーインポーズもしくはワイプ等の画像合成技術を利用し、観察者１の任意選択で表示可能とした場合もこの実施例と同様の効果が得られることは言うまでもない。」と記載されているから、上記引用刊行物１は、本願発明１の「前記左眼用映像信号は左眼用識別信号を有する信号であり、前記右眼用映像信号は右眼用識別信号を有する信号であり、前記映像表示部には、前記観察者の一方の眼を閉じ他方の目を開いて頭部を動かすことで前記適視位置マークを観察することができる位置が捜せるようにするために、前記左眼用識別信号により左眼用適視位置マークが表示され、前記右眼用識別信号により右眼用適視位置マークが表示されることを特徴とする立体映像表示装置」に相当する構成を有するものである。
　また、上記引用刊行物１には「第２図はこの実施例における適正立体視観察位置の確認用右画像４−１および確認用左画像４−２を図示したものである。各画像にはそれぞれ明らかに異なる文字（または記号、デザインもしくは背景色等）を表示させて右眼専用、左眼専用であることが一目で判る構成としているものである。これにより観察者１は両眼で観察する各画像が、左右どちらの眼に対応した画像であるか容易に理解できるものである。」と記載されるとともに、第２図に「確認用右画像４−１」と「確認用左画像４−２」で異なるハッチングが施された枠が示されているから、上記引用刊行物１には「適正位置確認用画像を左右で異なる色の枠状とすること」が記載されている。更に、「確認用画像４」は「立体視用視差画像７」と切り替えて表示されるものであるから、上記の左右で異なる色の枠状とした「確認用画像」は、「映像表示部の上側領域又は下側領域に、該上側領域又は下側領域の表示画面全体に亘り、左右方向に延びる部分を有する適視位置マーク」に相当する。
　したがって両者は、「左眼用映像信号と右眼用映像信号とを映像表示部に入力し、該映像表示部に立体映像を表示するとともに、観察者が前記立体映像を観察するとき、観察者の左眼に左眼用画素からの光のみが入光し、右眼に右眼用画素からの光のみが入光する所定の適視位置を前記映像表示部の前方に有する立体映像表示装置において、前記左眼用映像信号は左眼用識別信号を有する信号であり、前記右眼用映像信号は右眼用識別信号を有する信号であり、前記映像表示部には、前記観察者の一方の眼を閉じ他方の目を開いて頭部を動かすことで前記適視位置マークを観察することができる位置が捜せるようにするために、前記左眼用識別信号により前記映像表示部の上側領域又は下側領域に、該上側領域又は下側領域の表示画面全体に亘り、左右方向に延びる部分により構成された左眼用適視位置マークが表示され、前記右眼用識別信号により前記上側領域又は下側領域に、該上側領域又は下側領域の表示画面全体に亘り、左右方向に延びる部分により構成された右眼用適視位置マークが表示されることを特徴とする立体映像表示装置。」で一致し、次の点で相違する。
　
（相違点）
　本件発明４は、適視位置マークが映像表示部の「映像表示画面の」上側領域又は下側領域に表示されるのに対して、上記引用刊行物１に記載のものは、適視位置マークが映像表示部の上側領域又は下側領域に表示されるものの「映像表示画面」との位置関係が不明である点
　
　そこで、上記相違点を検討する。
　「映像表示画面」は通常「映像表示部」の全面または中央部に表示されることを考慮すれば、「適視位置マーク」である上記引用刊行物１の「確認用画像」を「映像表示画面」である「立体視用視差画像」に画像合成した場合、「映像表示画面」の視認性を考慮して「適視位置マーク」を「映像表示画面の上側領域又は下側領域」とすることは、当業者が容易になし得たことである。
　
　よって、本件発明４は、異議申立人提出の各刊行物に記載された発明から容易に想到し得るものと認められる。
　
ｄ．請求項５について
　本件発明５は本件発明４を更に限定した構成であるから、本件発明５と上記引用刊行物１とを対すると、本件発明４と同一の構成については上記「ｄ．請求項４について」に記載したとおりである。
　そして、上記引用刊行物１には適正位置確認用画像を左右で異なる色の枠状とすることが記載されているから、上記引用刊行物１は、本件発明５の「前記左眼用適視位置マーク及び前記右眼用適視位置マークが、映像表示画面の上側領域に表示される上部分と、映像表示画面の下側領域に表示される下部分とを備える」に相当する構成を有するものである。
　
　よって、本件発明５は、異議申立人提出の各刊行物に記載された発明から容易に想到し得るものと認められる。
　
ｅ．請求項６について
　本件発明６は本件発明４を更に限定した構成であるから、本件発明６と上記引用刊行物１とを対すると、本件発明４と同一の構成については上記「ｄ．請求項４について」に記載したとおりである。
　そして、上記引用刊行物１には適正位置確認用画像を左右で異なる色の枠状とすることが記載されているから、上記引用刊行物１は、本件発明６の「前記左眼用識別信号と前記右眼用識別信号とは、両者が互いに異なる映像を表示するための信号である」に相当する構成を有するものである。
　
　よって、本件発明６は、異議申立人提出の各刊行物に記載された発明から容易に想到し得るものと認められる。
　
ｆ．請求項７について
　本件発明７は本件発明４を更に限定した構成であるから、本件発明７と上記引用刊行物１とを対すると、本件発明４と同一の構成については上記「ｄ．請求項４について」に記載したとおりである。
　そして、上記引用刊行物１には適正位置確認用画像を左右で異なる色の枠状とすることが記載されているから、上記引用刊行物１は、本件発明７の「前記左眼用識別信号と前記右眼用識別信号とは、両者が互いに異なる色の映像を表示するための信号である」に相当する構成を有するものである。
　
　よって、本件発明７は、異議申立人提出の各刊行物に記載された発明から容易に想到し得るものと認められる。
　
ｇ．請求項８について
　本件発明８は本件発明４を更に限定した構成であるから、本件発明８と上記引用刊行物１とを対すると、本件発明４と同一の構成については上記「ｄ．請求項４について」に記載したとおりである。
　そして、上記引用刊行物１には「観察者１は立体表示装置２を観察する場合、画像入力切り替えスイッチ３を操作して適正立体視確認用画像４を立体表示装置２に表示させる。この場合、観察者１は立体表示装置２の全面空間において、表示空間領域５に表示されている確認用右画像４−１を右目１−１で観察し、同様に表示空間領域６に表示されている確認用左画像４−２を左目１−２で、それぞれ観察できる位置を捜し出す。このようにして観察者１は立体表示装置２の前面空間において適正な立体視観察位置を検出および認識することができる。」、「この実施例では、観察者１が立体視適正観察位置を検知および確認する場合、画像入力切り替えスイッチ３によって、入力画像の切り替えをおこなっているが、立体表示装置２に立体視用視差画像７を常時表示している状態で、画面の一部に適正立体視確認用画像４を、スーパーインポーズもしくはワイプ等の画像合成技術を利用し、観察者１の任意選択で表示可能とした場合もこの実施例と同様の効果が得られることは言うまでもない。」と記載されているから、上記引用刊行物１は、本件発明８の「前記左眼用識別信号及び前記右眼用識別信号を出力する識別信号発生回路と、前記左眼用識別信号を左眼用映像信号に混合する第１の混合回路と、前記右眼用識別信号を右眼用映像信号に混合する第２の混合回路とを有する」ことは自明である。
　
　よって、本件発明８は、異議申立人提出の各刊行物に記載された発明から容易に想到し得るものと認められる。
　
エ．むすび
　以上のとおり、本件発明４〜８は、異議申立人提出の各刊行物に記載された発明から当業者が容易に発明をすることができたものであるから、本件発明４〜８についての特許は特許法第２９条第２項に違反してなされたものであり、同法第１１３条第２項に該当し、取り消されるべきものである。
　また、本件発明１〜３についての特許を取り消すべき理由を発見しない。
　よって結論のとおり決定する。
【異議決定日】
平成１３年６月７日（２００１．６．７）
【訂正の要旨】
訂正の要旨
訂正個所
ａ．従属形式で記載された特許請求の範囲の請求項３を、独立形式に記載するとともに、請求項３および６に記載された「観察者が前記立体映像を観察するときの適視位置」を「観察者が前記立体映像を観察するとき、
観察者の左眼に左眼用画素からの光のみが入光し、右眼に右眼用画素からの光のみが入光する所定
前記映像表示部の映像表示画面の上側領域又は下側領域に、該上側領域又は下側領域の表示画面全体に亘り
により構成された
前記上側領域又は下側領域に、該上側領域又は下側領域の表示画面全体に亘り
により構成された
ｂ．明細書の段落番号０００７の記載
　上記訂正事項ａの訂正に伴い、登録時の【０００７】の記載である
　「【課題を解決するための手段】　本発明の第１の立体映像表示装置は、左眼用映像信号と右眼用映像信号とを入力し、該入力した左眼用映像信号及び右眼用映像信号に従って立体映像を表示するとともに観察者が前記立体映像を観察するときの適視位置を前方に有する映像表示部と、該映像表示部に適視位置マークを表示するための信号を発生する信号発生部と、該信号発生部の動作／不動作を切り換える操作部とからなることを特徴とする。」を、
　「【課題を解決するための手段】　本発明の第１の立体映像表示装置は、左眼用映像信号と右眼用映像信号とを入力し、該入力した左眼用映像信号及び右眼用映像信号に従って立体映像を表示するとともに、観察者が前記立体映像を観察するとき、観察者の左眼に左眼用画素からの光のみが入光し、右眼に右服用画素からの光のみが入光する所定の適視位置を前方に有する映像表示部と、該映像表示部に適視位置マークを表示するための信号を発生する信号発生部と、該信号発生部の動作／不動作を切り換える操作部とを備えている。」と訂正する。
ｃ．明細書の段落番号０００８の記載
　上記訂正事項ａの訂正に伴い、登録時の【０００８】の記載である
　「更に、本発明の第１の立体映像表示装置は、前記信号発生部からの信号を前記映像表示部の左眼用映像信号及び右眼用映像信号の一方にのみ混合し、前記観察者の一方の眼を閉じ他方の目を開いて頭部を動かすことで前記適視位置マークを観察することができる位置が捜せるようにするための混合部を設けたことを特徴とする。」を、
　「そして、該信号発生部からの信号を前記映像表示部の左眼用映像信号及び右眼用映像信号の一方にのみ混合し、前記観察者の一方の眼を閉じ他方の目を開いて頭部を動かすことで前記適視位置マークを観察することができる位置が捜せるようにするための混合部が設けられている。」と訂正する。
ｄ．明細書の段落番号０００９の記載
　上記訂正事項ａの訂正に伴い、登録時の【０００９】の記載である
　「また、本発明の第１の立体映像表示装置は、前記信号発生部が前記適視位置マークを表示するためのキャラクタ信号を発生するキャラクタ信号発生部であることを特徴とする。」を、
　「また、前記映像表示部に入力する映像信号が立体映像を表示するための映像信号であるか、平面映像を表示するための映像信号であるかを検出する検出部が設けられている。」と訂正する。
ｅ．明細書の段落番号００１０の記載
　上記訂正事項ａの訂正に伴い、登録時の【００１０】の記載である
　「また、本発明の第２の立体映像表示装置は、前記映像表示部に入力する映像信号が立体映像を表示するための映像信号であるか、平面映像を表示するための映像信号であるかを検出する検出部を設け、該検出部が平面映像であると判断したとき前記映像表示部に適視位置マークが表示されるのを阻止する手段を設けたことを特徴とする。」を、
　「そして、該検出部が平面映像であると判断したとき前記映像表示部に適視位置マークが表示されるのを阻止する手段を備えていることを特徴とする。」と訂正する。
ｆ．明細書の段落番号００１１の記載
　上記訂正事項ａの訂正に伴い、登録時の【００１１】の記載である
　「更に、本発明の第２の立体映像表示装置は、前記検出部が、前記映像表示部に左眼用映像信号及び右眼用映像信号が入力する信号路からの同期信号の有無を検出する同期信号検出部であることを特徴とする。」を、
　「更に、本発明の第１の立体映像表示装置は、前記検出部が、前記映像表示部に左眼用映像信号及び右眼用映像信号が入力する信号路からの同期信号の有無を検出する同期信号検出部であることを特徴とする。」と訂正する。
ｇ．明細書の段落番号００１２の記載
　上記訂正事項ａの訂正に伴い、登録時の【００１２】の記載である
　「また、本発明の第２の立体映像表示装置は、前記適視位置マークの表示を阻止する手段が、前記操作部と前記信号発生部との間の信号路、あるいは前記信号発生部と前記混合部との間の信号路に形成されたスイッチ手段であることを特徴とする。」を、
　「また、本発明の第１の立体映像表示装置は、前記適視位置マークの表示を阻止する手段が、前記操作部と前記信号発生部との間の信号路、あるいは前記信号発生部と前記混合部との間の信号路に形成されたスイッチ手段であることを特徴とする。」と訂正する。
ｈ．明細書の段落番号００１３の記載
　上記訂正事項ａの訂正に伴い、登録時の【００１３】の記載である
「また、本発明の第３の立体映像表示装置は、左眼用映像信号と右眼用映像信号とを映像表示部に入力し、該映像表示部に立体映像を表示するとともに観察者が前記立体映像を観察するときの適視位置を前記映像表示部の前方に有するものにおいて、前記左眼用映像信号は左眼用識別信号を有する信号であり、前記右眼用映像信号は右眼用識別信号を有する信号であり、前記映像表示部には、前記観察者の一方の眼を閉じ他方の目を開いて頭部を動かすことで前記適視位置マークを観察することができる位置が捜せるようにするために、前記左眼用識別信号により左右方向に延びる部分を備える左眼用適視位置マークが表示され、前記右眼用識別信号により左右方向に延びる部分を備える右眼用適視位置マークが表示されることを特徴とする。」を、
　「また、本発明の第２の立体映像表示装置は、左眼用映像信号と右眼用映像信号とを映像表示部に入力し、該映像表示部に立体映像を表示するとともに、観察者が前記立体映像を観察するとき、観察者の左眼に左眼用画素からの光のみが入光し、右眼に右眼用画素からの光のみが入光する所定の適視位置を前記映像表示部の前方に有するものにおいて、前記左眼用映像信号は左眼用識別信号を有する信号であり、前記右眼用映像信号は右眼用識別信号を有する信号であり、前記映像表示部には、前記観察者の一方の眼を閉じ他方の目を開いて頭部を動かすことで前記適視位置マークを観察することができる位置が捜せるようにするために、前記左眼用識別信号により前記映像表示部の映像表示画面の上側領域又は下側領域に、該上側領域又は下側領域の表示画面全体に亘り、左右方向に延びる部分により構成された左眼用適視位置マークが表示され、前記右眼用識別信号により前記上側領域又は下側領域に、該上側領域又は下側領域の表示画面全体に亘り、左右方向に延びる部分により構成された右眼用適視位置マークが表示されることを特徴とする。」と訂正する。
ｉ．明細書の段落番号００１４の記載
　上記訂正事項ａの訂正に伴い、登録時の【００１４】の記載である
　「更に、本発明の第３の立体映像表示装置は、前記左眼用適視位置マーク及び前記右眼用適視位置マークが、映像表示画面の上側領域に表示される上部分と、映像表示画面の下側領域に表示される下部分とを備えることを特徴とする。」を、
　「更に、本発明の第２の立体映像表示装置は、前記左眼用適視位置マーク及び前記右眼用適視位置マークが、映像表示画面の上側領域に表示される上部分と、映像表示画面の下側領域に表示される下部分とを備えることを特徴とする。」と訂正する。
ｊ．明細書の段落番号００１５の記載
　上記訂正事項ａの訂正に伴い、登録時の【００１５】の記載である
　「また、本発明の第３の立体映像表示装置は、前記左眼用識別信号と前記右眼用識別信号とが．両者が互いに異なる映像を表示するための信号であることを特徴とする。」を、
　「また、本発明の第２の立体映像表示装置は、前記左眼用識別信号と前記右眼用識別信号とは、両者が互いに異なる映像を表示するための信号であることを特徴とする。」と訂正する。
ｋ．明細書の段落番号００１６の記載
　上記訂正事項ａの訂正に伴い、登録時の【００１６】の記載である
　「また、本発明の第３の立体映像表示装置は、前記左眼用識別信号と前記右眼用識別信号とが、両者が互いに異なる色の映像を表示するための信号であることを特徴とする。」を、
　「また、本発明の第２の立体映像表示装置は、前記左眼用識別信号と前記右眼用識別信号とは、両者が互いに異なる色の映像を表示するための信号であることを特徴とする。」と訂正する。
ｌ．明細書の段落番号００１７の記載
　上記訂正事項ａの訂正に伴い、登録時の【００１７】の記載である
　「また、本発明の第３の立体映像表示装置は、前記左眼用識別信号及び前記右眼用識別信号を出力する識別信号発生回路と、前記左眼用識別信号を左眼用映像信号に混合する第１の混合回路と、前記右眼用識別信号を右眼用映像信号に混合する第２の混合回路とを有することを特徴とする。」を、
　「また、本発明の第２の立体映像表示装置は、前記左眼用識別信号及び前記右眼用識別信号を出力する識別信号発生回路と、前記左眼用識別信号を左眼用映像信号に混合する第１の混合回路と、前記右眼用識別信号を右眼用映像信号に混合する第２の混合回路とを有することを特徴とする。」と訂正する。
（５４）【発明の名称】
立体映像表示装置
（５７）【特許請求の範囲】
　【請求項１】　
左眼用映像信号と右眼用映像信号とを入力し、該入力した左眼用映像信号及び右眼用映像信号に従って立体映像を表示するとともに、観察者が前記立体映像を観察すると弍観察者の左眼に左眼用画素からの光のみが入光し、右眼に右眼用画素からの光のみが入光する所定の適視位置を前方に有する映像表示部と、該映像表示部に適視位置マークを表示するための信号を発生する信号発生部と、該信号発生部からの信号を前記映像表示部の左眼用映像信号及び右眼用映像信号の一方にのみ混合し、前記観察者の一方の眼を閉じ他方の目を開いて頭部を動かすことで前記適視位置マークを観察することができる位置が捜せるようにするための混合部と、前記信号発生部の動作／不動作を切り換える操作部と、前記映像表示部に入力する映像信号が立体映像を表示するための映像信号であるか、平面映像を表示するための映像信号であるかを検出する検出部と、該検出部が平面映像であると判断したとき前記映像表示部に適視位置マークが表示されるのを阻止する手段と
　【請求項２】　
前記検出部が、前記映像表示部に左眼用映像信号及び右眼用映像信号が入力する信号路からの同期信号の有無を検出する同期信号検出部
　【請求項３】　
前記適視位置マークの表示を阻止する手段が、前記操作部と前記信号発生部との間の信号路、あるいは前記信号発生部と前記混合部との間の信号路に形成されたスイッチ手段
　【請求項４】　
左眼用映像信号と右眼用映像信号とを映像表示部に入力し、該映像表示部に立体映像を表示するとともに、観察者が前記立体映像を観察するとき、観察者の左眼に左眼用画素からの光のみが入光し、右眼に右眼用画素からの光のみが入光する所定の適視位置を前記映像表示部の前方に有する立体映像表示装置において、前記左眼用映像信号は左眼用識別信号を有する信号であり、前記右眼用映像信号は右眼用識別信号を有する信号であり、前記映像表示部には、前記観察者の一方の眼を閉じ他方の目を開いて頭部を動かすことで前記適視位置マークを観察することができる位置が捜せるようにするために、前記左眼用識別信号により前記映像表示部の映像表示画面の上側領域又は下側領域に、該上側領域又は下側領域の表示画面全体に亘り、左右方向に延びる部分により構成された左眼用適視位置マークが表示され、前記右眼用識別信号により前記上側領域又は下側領域に、該上側領域又は下側領域の表示画面全体に亘り、左右方向に延びる部分により構成された右眼用適視位置マークが表示されることを特徴とする
　【請求項５】　
前記左眼用適視位置マーク及び前記右眼用適視位置マークが、映像表示画面の上側領域に表示される上部分と、映像表示画面の下側領域に表示される下部分とを備えることを特徴とする請求項４
　【請求項６】　
前記左眼用識別信号と前記右眼用識別信号とは、両者が互いに異なる映像を表示するための信号であることを特徴とする請求項４または５記載の
　【請求項７】　
前記左眼用識別信号と前記右眼用識別信号とは、両者が互いに異なる色の映像を表示するための信号であることを特徴とする請求項４または５
　【請求項８】　
前記左眼用識別信号及び前記右眼用識別信号を出力する識別信号発生回路と、前記左眼用識別信号を左眼用映像信号に混合する第１の混合回路と、前記右眼用識別信号を右眼用映像信号に混合する第２の混合回路とを有することを特徴とする請求項４、５、６または７
【発明の詳細な説明】
　【０００１】
　【産業上の利用分野】
　本発明は観察者が特殊なメガネを使用すること無しに立体映像を観察することが出来る立体映像表示装置に関する。
　【０００２】
　【従来の技術】
　立体映像を表示する方式としては、観察者が偏光メガネや液晶シャッターメガネを使用して立体映像を観察するメガネ有り方式と、メガネを使用せずに、表示画面からの映像情報を有する光をレンチキュラレンズやパララックスバリア等により左眼用の映像情報を有する光と右眼用の映像情報を有する光とに分光し、立体映像を表示するメガネ無し方式とがある。
　【０００３】
　図７はレンチキュラレンズを用いたメガネ無し方式の立体映像表示装置の原理を示す図である。表示画面２１上には、左眼用の映像情報を表示した左眼用画素しと右眼用の映像情報を表示した右眼用画素Ｒとが水平方向に交互に形成されている。前記表示画面２１の前面には、垂直方向にストライプ状に延びるレンチキュラレンズ２２ａを多数有するレンチキュラ板２２が配置されている。この時、１つのレンチキュラレンズ２２ａの中に１組の左眼用画素しと右眼用画素Ｒとが配置するように構成されている。
　【０００４】
　前記左眼用画素しから出た光Ｌ’は前記レンチキュラレンズ２２ａの屈折作用により観察者の左眼２３Ｌのみに達し、前記右眼用画素Ｒから出た光Ｒ’は前記レンチキュラレンズ２２ａの屈折作用により観察者の右眼２３Ｒのみに達する。この時、前記左眼用画素からの光Ｌ’と右眼用画素からの光Ｒ’とは、人間が両眼視差によって立体知覚を行うことが出来る視差を有する映像情報（視差情報）を有しており、これにより観察者は立体映像を認識する。
　【０００５】
　このようなメガネ無し方式の立体映像表示装置では、観察者は左眼には左眼用画素からの光が入光し、右眼には右眼用画素からの光が入光する位置（以下、適視位置という）に頭部を位置させる必要がある。しかしながら、上述のような適視位置を見つけ出すことは困難である。また、適視位置を見つけ出し、頭部をその適視位置に位置させたとしても、長時間にわたって頭部を適視位置に固定することは難しく、一度頭部を移動させると、再び適視位置を見つけ出す必要がある。
　【０００６】
　【発明が解決しようとする課題】
　本発明は上記従来例の欠点に鑑み為されたものであり、観察者が立体映像を良好に観察することが出来る適視位置を容易に見つけ出すことが出来る立体映像表示装置を提供することを目的とするものである。
　【０００７】
　【課題を解決するための手段】
　本発明の第１の立体映像表示装置は、左眼用映像信号と右眼用映像信号とを入力し、該入力した左眼用映像信号及び右眼用映像信号に従って立体映像を表示するとともに
、観察者が前記立体映像を観察するとき、観察者の左眼に左眼用画素からの光のみが入光し、右眼に右眼用画素からの光のみが入光する所定
を備えている。
　【０００８】
　
そして、該信号発生部からの信号を前記映像表示部の左眼用映像信号及び右眼用映像信号の一方にのみ混合し、前記観察者の一方の眼を閉じ他方の目を開いて頭部を動かすことで前記適視位置マークを観察することができる位置が捜せるようにするための混合部が設けられている。
　【０００９】
　
また、前記映像表示部に入力する映像信号が立体映像を表示するための映像信号であるか、平面映像を表示するための映像信号であるかを検出する検出部が設けられている。
　【００１０】
　
そして、該検出部が平面映像であると判断したとき前記映像表示部に適視位置マークが表示されるのを阻止する手段を備えている
　【００１１】
　更に、本発明の第
１
　【００１２】
　また、本発明の第
１
　【００１３】
　また、本発明の第
２
、観察者が前記立体映像を観察するとき、観察者の左眼に左眼用画素からの光のみが入光し、右眼に右眼用画素からの光のみが入光する所定
前記映像表示部の映像表示画面の上側領域又は下側領域に、該上側領域又は下側領域の表示画面全体に亘り、左右方向に延びる部分により構成された
前記上側領域又は下側領域に、該上側領域又は下側領域の表示画面全体に亘り、左右方向に延びる部分により構成された
　【００１４】
　更に、本発明の第
２
　【００１５】
　また、本発明の第
２
　【００１６】
　また、本発明の第
２
　【００１７】
　また、本発明の第
２
　【００１８】
　【作用】
　上記第１の立体映像表示装置によれば、観察者は希望の時に操作部の操作のより映像表示部に適視位置マークを表示することが出来、該適視位置マークにより立体映像を良好に観察することが出来る適視位置を見つけ出すことが出来る。
　【００１９】
　更に、適視位置マークを表示するための信号を前記映像表示部の左眼用映像信号及び右眼用映像信号の一方にのみ混合することにより、観察者が片眼だけを開いた状態で前記適視位置マークを見ることが出来る位置が適視位置である。
　【００２０】
　また、前記適視位置マークは、キャラクタ信号により容易に表示画面上に表示することが出来る。また、
映
　【００２１】
　更に、映像表示部に入力する映像信号が立体映像を表示するための信号であるか、平面映像を表示するための信号であるかは、前記映像信号の同期信号の有無により容易に検出することが出来る。
　【００２２】
　また、前記適視位置マークの表示の阻止は、操作部と混合部との間の信号路にスイッチ手段を設け、該スイッチ手段を開状態にすることにより、容易に達成することが出来る。
　【００２３】
　また、上記第
２
　【００２４】
　更に、前記左眼用適視位置マーク及び前記右眼用適視位置マークが上部分と下部分とを備える形状である場合、観察者の左右の眼が適視位置に対して上下方向にずれている場合、前記左右の眼は夫々前記上部分あるいは前記下部分のどちらか一方で左眼用適視位置マークと右眼用適視位置マークとの両方を認識する。
　【００２５】
　また、左眼用識別信号と右眼用識別信号とが互いに異なる映像を表示するための信号とすることにより、左眼用適視位置マークと右眼用適視位置マークとは識別し易くなる。
　【００２６】
　特に、左眼用識別信号と右眼用識別信号とが互いに異なる色の映像を表示するための信号である場合、左眼用適視位置マークと右眼用適視位置マークとが異なる色で表示されるため、観察者は左眼用適視位置マークと右眼用適視位置マークとが混じっている状態及び混じっていない状態を容易に識別することが出来、容易に適視位置を見つけ出すことが出来る。
　【００２７】
　また、前記左眼用識別信号及び右眼用識別信号を夫々、第１、第２の混合回路により左眼用映像信号、右眼用映像信号に混合するように構成することにより、前記左眼用、右眼用映像信号を供給する映像源がどのようなものであっても、映像表示部に左眼用、右眼用適視位置マークを表示することが出来る。
　【００２８】
　【実施例】
　以下、図面を参照しつつ本発明の第１実施例について詳細に説明する。図１は第１実施例の立体映像表示装置の構成を示す回路ブロック図である。
　【００２９】
　図中、１は立体映像の左眼用画素を表示するための左眼用映像信号を入力する第１の入力端子、２は立体映像の右眼用画素を表示するための右眼用映像信号を入力する第２の入力端子である。
　【００３０】
　３は適視位置マークを表示するためのキャラクタ信号を出力するキャラクタ信号発生回路、４は前記キャラクタ信号発生回路３からキャラクタ信号が出力する状態（動作状態）と、キャラクタ信号が出力しない状態（不動作状態）とを観察者が自由に切り換えることが出来る操作ボタンである。
　【００３１】
　５は前記第２の入力端子２から入力した右眼用映像信号に前記キャラクタ信号発生回路３からのキャラクタ信号を混合（重畳あるいは挿入）する混合回路である。
　【００３２】
　６は前記左眼用映像信号、及び前記混合回路５を介して右眼用映像信号を入力し、この入力した信号を基に立体映像を表示する映像表示部であり、前述の図７と同様の構成である。
　【００３３】
　次に、第１実施例の立体映像表示装置の動作について説明する。観察者が操作ボタン４をＯＮ状態にすると、キャラクタ信号発生回路３からはキャラクタ信号が出力される。前記キャラクタ信号は混合回路５に入力し、第２の入力端子２から入力された右眼用映像信号に混合される。従って、映像表示部６には第１の入力端子１からの左眼用映像信号と、混合回路５によりキャラクタ信号が混合された右眼用映像信号とが入力される。
　【００３４】
　このため、第１実施例の立体映像表示装置では、図７を用いて説明すると、左眼用画素Ｌは左眼用の映像情報だけにより形成されており、右眼用画素Ｒは右眼用の映像情報とキャラクタ信号による情報との混合情報により形成されている。即ち、左眼用画素Ｌからの光Ｌ’は左眼用の映像情報だけを有する光であり、右眼用画素Ｒからの光Ｒ’は右眼用の映像情報とキャラクタ信号による混合情報の光である。
　【００３５】
　即ち、観察者は左眼２３Ｌを閉じ、右眼２３Ｒだけを開いた状態で、映像表示部６の表示画面６１に、図２に示すような、右眼用の映像７とキャラクタ信号による適視位置マーク８との両方が見える位置が適視位置である。従って、観察者は左眼２３Ｌを閉じ、右眼２３Ｒだけを開いた状態で頭部を動かして、適視位置マーク８を観察することが出来る位置を捜すことにより、容易に適視位置を見つけ出すことが出来る。
　【００３６】
　次に、本発明の第２実施例について説明する。図３は第２実施例の立体映像表示装置の構成を示す回路ブロック図であり、図１と同一部分には同一符号を付し、その説明は割愛する。
　【００３７】
　図中、９は第１の入力端子１及び第２の入力端子２から入力する映像信号より水平同期信号あるいは垂直同期信号を検出する同期信号検出回路である。１０は前記操作ボタン４とキャラクタ信号発生回路３の間に設けられてスイッチ手段１０であり、該スイッチ手段１０の開閉状態の切り換えは前記同期信号検出回路９からの出力信号により制御される。
　【００３８】
　具体的には、前記同期信号検出回路９が第１の入力端子１及び第２の入力端子２の両方の端子より同期信号を検出した時は、前記スイッチ手段１０は閉状態（ＯＮ状態）となり、それ以外の時、即ち、前記同期信号検出回路９が第１の入力端子１、第２の入力端子２の一方のみから同期信号を検出した時、あるいは第１、第２の入力端子１、２の両方から全く同期信号を検出しなかった時は、前記スイッチ手段１０は開状態（ＯＦＦ状態）となる。
　【００３９】
　次に、第２実施例の立体映像表示装置の動作について説明する。まず、立体映像の表示が行われる時は、第１の入力端子１より左眼用映像信号が入力し、第２の入力端子２より右眼用映像信号が入力する。同期信号検出回路９はこの入力した左眼用映像信号及び右眼用映像信号より水平同期信号、あるいは垂直同期信号を検出し、スイッチ手段１０を閉状態にする。
　【００４０】
　ここで、観察者が操作ボタン４をＯＮ状態にすると、その信号はスイッチ手段１０を介してキャラクタ信号発生回路３に伝わり、該キャラクタ信号発生回路３からはキャラクタ信号が混合回路５に出力される。即ち、前記第２の入力端子２より入力した右眼用映像信号は、前記混合回路５においてキャラクタ信号が混合され、立体映像表示部６に出力される。これにより、第１実施例と同様に前記映像表示部６の表示画面には適視位置マーク８が表示され、観察者は適視位置を見つけ出すことが出来る。
　【００４１】
　次に、立体映像の表示が行われておらず、平面映像の表示が行われている時について説明する。この時は、前記第１の入力端子１より平面表示を行うための平面映像信号が入力する。また、前記第２の入力端子２には全く信号が入力しない。同期信号検出回路９は第１の入力端子１より入力した平面映像信号より水平同期信号、あるいは垂直同期信号を検出し、また、第２の入力端子２からは同期信号を全く検出しない。これにより、前記スイッチ手段１０は開状態になる。
　【００４２】
　ここで、観察者が操作ボタン４をＯＮ状態にしても、前記スイッチ手段１０が開状態であるため、キャラクタ信号発生回路３からはキャラクタ信号が出力されない。従って、映像表示部６にはキャラクタ信号が全く入力せず、表示画面６１は平面映像だけが表示され、適視位置マークは表示されない。
　【００４３】
　以上のように、第２実施例の立体映像表示装置では、立体映像が表示されている時に、操作ボタン４をＯＮ状態にすると、映像表示部６の表示画面６１には適視位置マーク８が表示され、観察者は適視位置を見つけ出すことが出来る。また、平面映像が表示されている時に、操作ボタン４をＯＦＦ状態にしても、映像表示部６の表示画面６１には適視位置マーク８が表示されない。即ち、観察者は操作ボタン４をＯＮ状態にした時の適視位置マーク８の表示の有無により、表示画面に立体映像が表示されているか、平面映像が表示されているかを認識することが出来る。
　【００４４】
　尚、上記第１、第２実施例では、混合回路５を第２の入力端子２と映像表示部６との間に設け、右眼用映像信号にキャラクタ信号を混合するように構成したが、混合回路５を第１の入力端子１と映像表示部６との間に設け、左眼用映像信号にキャラクタ信号を混合するように構成しても良い。
　【００４５】
　また、上記第２実施例では、スイッチ手段１０を操作ボタン４とキャラクタ信号発生回路３との間に設けたが、前記スイッチ手段１０をキャラクタ信号発生回路３と混合回路５との間に設けても、同様の結果が得られる。
　【００４６】
　しかしながら、上述の第１、第２実施例では、例えば図６に示すように、観察者の左右の眼（図６では右眼２３Ｒ）が適視位置Ａに対して前方（表示画面に近付く方向）にずれた位置Ｂに位置する場合、前記右眼２３Ｒには破線で示すように左眼用画素Ｌからの映像の光と右眼用画素Ｒからの映像の光との両方が入射する。このため、前記右眼２３Ｒには適視位置Ａから外れた位置にあるにもかかわらず、適視位置マーク８の情報を有する右眼用の映像の光が入光し、観察者が右眼で適視位置マークを認識し、適視位置に位置しているという間違った判断を行うという虞れがある。
　【００４７】
　以下に示す本発明の第３実施例は上述の欠点を解消したものである。図４は第３実施例の立体映像表示装置の構成を示す回路ブロック図であり、図３と同一部分には同一符号を付し、その説明は割愛する。
　【００４８】
　図中、１１は適視位置マークを表示するための左右の識別信号を出力する識別信号発生回路である。５Ａは第１の入力端子１から入力した左眼用映像信号に前記識別信号発生回路１１からの左眼用識別信号を混合する第１の混合回路、５Ｂは第２の入力端子２から入力した右眼用映像信号に前記識別信号発生回路１１からの右眼用識別信号を混合する第２の混合回路である。
　【００４９】
　前記識別信号発生回路１１から出力される左眼用識別信号は映像の周囲を青色のラインで縁取りする青色信号であり、前記第１の混合回路５Ａを介して映像表示部６に入力されると、表示画面６１の映し出される左眼用の映像には、図５（ａ）に示すような画面の囲う青色の枠部（左眼用適視位置マーク）１２Ｌが表示される。
　【００５０】
　また、前記識別信号発生回路１１から出力される右眼用識別信号は映像の周囲を赤色のラインで縁取りする赤色信号であり、前記第２の混合回路５Ｂを介して映像表示部６に入力されると、表示画面６１の映し出される右眼用の映像には、図５（ｂ）に示すような画面の囲う赤色の枠部（右眼用適視位置マーク）１２Ｒが表示される。
　【００５１】
　また、前記枠部１２Ｌ、１２Ｒは共に、左右方向に延びる細長の上辺（上部分）１２１、上下方向に延びる細長の右辺（右部分）１２２、左右方向に延びる細長の下辺（下部分）１２３、上下方向に延びる細長の左辺（左部分）１２４により構成されている。そして、前記前記枠部１２Ｌ、１２Ｒの各辺は表示画面６１の同一部分に表示される。
　【００５２】
　尚、前記映像表示部６の表示画面６１をカラーの液晶パネルにより構成した場合、前記左眼用識別信号は表示画面の枠部表示領域では左眼用青色絵素のみを発光させる信号であればよく、また、前記右眼用識別信号は表示画面の枠部表示領域では右眼用赤色絵素のみを発光させる信号であればよい。
　【００５３】
　上述のような第３実施例の立体映像表示装置では、立体映像の表示が行われている場合、同期信号検出回路９が左眼用映像信号及び右眼用映像信号より水平同期信号、あるいは垂直同期信号を検出し、スイッチ手段１０を閉状態にする。
　【００５４】
　そこで、観察者が操作ボタン４をＯＮ状態にすると、前記識別信号発生回路１１からは左眼用識別信号及び右眼用識別信号が出力される。これにより、左眼用映像信号は第１の混合回路５Ａにおいて左眼用識別信号が混合されて立体映像表示部６に出力され、右眼用映像信号は第２の混合回路５Ｂにおいて右眼用識別信号が混合されて映像表示部６に出力される。
　【００５５】
　このような状態で観察者の左眼が適視位置に位置すると、左眼は青色の枠部１２Ｌを図５（ａ）に示すような完全な形で認識する。また、この時、左眼には右眼用の映像情報は全く入光しないため、赤色の枠部１２Ｒは全く認識しない。また、右眼についても同様で、適視位置に位置すると、右眼は赤色の枠部１２Ｒを図５（ｂ）に示すような完全な形で認識し、青色の枠部１２Ｒは全く認識しない。
　【００５６】
　次に、観察者の左眼が適視位置から前方に外れた位置に位置すると、該左眼には左眼用の映像情報と右眼用の映像情報とが入光する。このため、観察者の左眼は図５（ｃ）に示すような青色の枠部１２Ｂの一部と赤色の枠部１２Ｒの一部とが混ざった枠部を認識する。また、右眼についても同様で、適視位置から前方に外れた位置に位置すると、右眼は図５（ｄ）に示すような青色の枠部１２Ｂの一部と赤色の枠部１２Ｒの一部とが混ざった枠部を認識する。これにより、観察者は左右の眼が適視位置から外れていることを認識する。
　【００５７】
　尚、観察者の左右の眼が適視位置から後方に外れた位置に位置する場合についても同様である。次に、特に図示していないが、観察者の左右の眼が適視位置よりも上方あるいは下方（図６の紙面に対して垂直方向）に外れると、表示画面６１の上側に対しては適視位置にあるが、下側に対しては適視位置にはないという場合が起こる。この場合は、観察者の左眼が認識する適視位置マークは、上辺１２１では青色の枠部１２Ｌだけであるが、下辺１２３では青色の枠部１２Ｌの一部と赤色の枠部１２Ｒの一部とが混じった状態になる。また、観察者の右眼が認識する適視位置マークは、上辺１２１では赤色の枠部１２Ｒだけであるが、下辺１２３では青色の枠部１２Ｌの一部と赤色の枠部１２Ｒの一部とが混じった状態になる。これにより、観察者は左右の眼が適視位置から外れていることを知ることが出来る。
　【００５８】
　尚、観察者の左右の眼が表示画面６１の下側に対しては適視位置にあるが、上側に対しては適視位置にない場合についても、上辺１２１と下辺１２３との関係は逆になるが、基本的に上述の場合と同じである。
　【００５９】
　また、観察者の左右の眼が適視位置に対して左右方向にずれた場合についても、当然のことながら前記左右の眼は青色の枠部１２Ｌと赤色の枠部１２Ｒの両方を認識する。
　【００６０】
　以上のように、第３実施例の立体映像表示装置では、観察者の左眼が青色の枠部１２Ｂのみを認識し、右眼が赤色の枠部１２Ｒのみを認識するのは、観察者の左右の眼が適視位置に位置する時のみであり、前記左右の眼が適視位置から前後、上下、左右のどの方向にずれても、必ず観察者の左右の眼は共に赤色と青色の混じった枠部を認識する。即ち、観察者が右眼を閉じ、左眼で青色だけの枠部１２Ｂを認識し、左眼を閉じ、右眼で赤色だけの枠部１２Ｒを認識する位置を捜せば、その位置は必ず表示画面６１に映し出された立体映像を良好に観賞することが出来る適視位置である。
　【００６１】
　尚、上記第３実施例では、左眼用識別信号と右眼用識別信号とを互いに異なる色の枠部１２Ｌ、１２Ｒを表示する信号としたが、互いに異なる模様の枠部を表示する信号としてもよい。
　【００６２】
　また、上記第３実施例では、左眼用識別信号及び右眼用識別信号を夫々、第１、第２の混合回路５Ａ、５Ｂにより左眼用映像信号、右眼用映像信号に混合するように構成したが、左眼用映像信号及び右眼用映像信号に予め上述の枠部１２Ｌ、１２Ｒを表示するような信号が形成されているソフトを映像源として用いても良い。
　【００６３】
　更に、前記映像表示部６は、図７に示したレンチキュラレンズを用いた構成以外にも、パララックスバリアを用いた構成でも良い。
　【００６４】
　【発明の効果】
　本発明によれば、観察者は立体映像を観察中のどの時点においても、操作部を操作することにより適視位置マークを表示して、適視位置を見つけ出すことが容易に出来るため、立体映像を観察している最中に頭部を動かして適視位置から外れても、すぐに頭部を適視位置に戻し、良好な立体映像を観察することが出来る立体映像表示装置を提供し得る。
　【００６５】
　更に、本発明によれば、操作部を操作した際に適視位置マークが表示された時と、表示されない時とにより、表示中の映像が立体映像であるか、平面映像であるかを認識することが出来る立体映像表示装置を提供し得る。
　【００６６】
　また、本発明によれば、表示画面に対して前後方向においても、確実に適視位置を見つけ出すことが出来る立体映像表示装置を提供し得る。更に、本発明によれば、表示画面に対して上下方向においても、確実に適視位置を見つけ出すことが出来る立体映像表示装置を提供し得る。
【図面の簡単な説明】
　【図１】
　本発明の第１実施例の立体映像表示装置の構成を示す回路ブロック図である。
　【図２】
　本発明の第１実施例の立体映像表示装置の適視位置マークの表示を示す図である。
　【図３】
　本発明の第２実施例の立体映像表示装置の構成を示す回路ブロック図である。
　【図４】
　本発明の第３実施例の立体映像表示装置の構成を示す回路ブロック図である。
　【図５】
　本発明の第３実施例の立体映像表示装置おける適視位置マークの表示状態を示す図である。
　【図６】
　観察者の眼への映像情報の入光状態を示す図である。
　【図７】
　レンチキュラレンズを用いたメガネ無し方式の立体映像表示装置の原理を示す図である。
　【符合の説明】
　　　１　第１の入力端子
　　　２　第２の入力端子
　　　３　キャラクタ信号発生回路（信号発生部）
　　　４　操作ボタン（操作部）
　　　５　混合回路（混合部）
　　　６　映像表示部
　　　８　適視位置マーク
　　　９　同期信号検出回路（検出部）
　　１０　スイッチ手段
　　１１　識別信号発生回路
　　５Ａ　第１の混合回路
　　５Ｂ　第２の混合回路
　１２Ｌ　青色の枠部（左眼用適視位置マーク）
　１２Ｒ　赤色の枠部（右眼用適視位置マーク）
　１２１　上辺（左右方向に延びる部分）
　１２３　下辺（左右方向に延びる部分）